(57)【要約】【課題】照明装置および照明装置を搭載した撮像装置を小型化する。【解決手段】照明光を発生する発光部と、発光部を駆動する駆動回路と、発光部へトリガ電圧を出力するトリガコイルと、駆動回路およびトリガコイルが共に搭載され、駆動回路およびトリガコイルの間の領域で屈曲したフレキシブル基板と、駆動回路およびトリガコイルの間に配された絶縁板とを備える。上記照明装置において、フレキシブル基板は、絶縁板の一方の面に向き合う位置から、絶縁板の他方の面に向き合う位置まで延在してもよい。また、上記照明装置において、駆動回路およびトリガコイルは、フレキシブル基板の同じ面に実装されてもよい。【選択図】図１
2011013380.tif 000002
【特許請求の範囲】
【請求項１】
照明光を発生する発光部と、
前記発光部を駆動する駆動回路と、
前記発光部へトリガ電圧を出力するトリガコイルと、
前記駆動回路および前記トリガコイルが共に搭載され、前記駆動回路および前記トリガコイルの間の領域で屈曲したフレキシブル基板と、
前記駆動回路および前記トリガコイルの間に配された絶縁板と、
を備える照明装置。
【請求項２】
前記フレキシブル基板は、前記絶縁板の一方の面に向き合う位置から、前記絶縁板の他方の面に向き合う位置まで延在する請求項１に記載の照明装置。
【請求項３】
前記駆動回路および前記トリガコイルは、前記フレキシブル基板の同じ面に実装される請求項１または請求項２に記載の照明装置。
【請求項４】
前記絶縁板は、前記駆動回路および前記トリガコイルを位置決めする請求項１から請求項３までのいずれかに記載の照明装置。
【請求項５】
前記発光部は、照明光の放射方向と直交する方向に、前記絶縁板に対して移動自在に配される請求項１から請求項４までのいずれかに記載の照明装置。
【請求項６】
請求項１から請求項５までのいずれかに記載された照明装置を備える撮像装置。
【請求項７】
レンズ鏡筒の光軸に対して、前記発光部が前記トリガコイルよりも遠方に配される請求項６に記載の撮像装置。
【発明の詳細な説明】
【技術分野】
【０００１】
本発明は、照明装置および撮像装置に関する。
【背景技術】
【０００２】
撮像装置の被写体を照明する照明装置がある。この種の照明装置は、照明光を発生する光源と、当該光源を駆動する駆動回路とを含む（特許文献１参照）。
【先行技術文献】
【特許文献】
【０００３】
【特許文献１】特開２００１−０４２３９５号公報
【発明の概要】
【発明が解決しようとする課題】
【０００４】
照明装置の駆動回路は高電圧を扱う高圧回路を含む。高圧回路は他の導電性部材から距離をおいて配置することにより漏電等を防止される。このため、高圧回路の周囲には他の部材が配置されない空間が生じて、照明装置小型化の妨げとなっている。
【課題を解決するための手段】
【０００５】
上記課題を解決すべく、本発明の第一態様として、照明光を発生する発光部（１１３）と、発光部を駆動する駆動回路（１３１）と、発光部へトリガ電圧を出力するトリガコイル（１３３）と、駆動回路およびトリガコイルが共に搭載され、駆動回路およびトリガコイルの間の領域で屈曲したフレキシブル基板（１３０）と、駆動回路およびトリガコイルの間に配された絶縁板（２０１）とを備える照明装置（２００）が提供される。また、本発明の第二態様として、上記照明装置を備える撮像装置（１００）が提供される。
【図面の簡単な説明】
【０００６】
【図１】筐体１０２内部の配置を示す図である。
【図２】筐体１０２内部の底面側の配置を示す図である。
【図３】筐体１０２内部の上面側の配置を示す図である。
【図４】筐体１０２内部の右側面の配置を示す図である。
【図５】筐体１０２内部の左側面の配置を示す図である。
【図６】発光部組立体２００の分解斜視図である。
【図７】組み立てられた発光部組立体２００の形態を示す斜視図である。
【図８】発光部組立体２００における配線構造を示す斜視図である。
【図９】駆動回路１３１およびトリガコイル１３３の位置関係を示す模式図である。
【図１０】発光部組立体およびレンズ鏡筒１０４の位置関係を示す斜視図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、デジタルカメラ１００の内部構造を示す斜視図である。なお、以下の説明では、デジタルカメラ１００に対して被写体側を前側、撮影者側を後側、図示の横位置に構えたデジタルカメラ１００を被写体側から見た場合のデジタルカメラ１００の上下方向および左右方向をそれぞれ上下方向および左右方向と記載する。
【０００９】
デジタルカメラ１００は、左右方向の寸法が上下方向の寸法より長く、前後方向の寸法が上下方向の寸法より短い矩形の筐体１０２を備える。筐体１０２には、レンズ鏡筒１０４、主基板１０６、操作部基板１０８、発光ユニット１１３および一対のキャパシタ１２０、１２２が収容される。
【００１０】
レンズ鏡筒１０４は、筐体１０２の左右方向について図中の右側に寄せて配される。これにより、筐体１０２の内部空間は、レンズ鏡筒１０４の側方に位置する、幅の広い左側空間１１６と、幅の狭い右側空間１１８とに分けられる。
【００１１】
レンズ鏡筒１０４は、筐体１０２の前後方向に伸縮する。伸長したレンズ鏡筒１０４は、筐体１０２の前方に突出して光学系の焦点距離を変化させる。図示のように縮んだレンズ鏡筒１０４は筐体１０２に格納される。このとき、レンズ鏡筒１０４の前面は、筐体１０２の前面と面一になる。
【００１２】
主基板１０６は、筐体１０２の前面左側部分に沿って、筐体１０２内部の左側空間１１６に配される。主基板１０６には、画像処理チップ等の電子回路が実装される他、複数のレセプタクル１１０、１５６、１５９、１６２が実装される。
【００１３】
操作部基板１０８は、左側空間１１６において筐体１０２の上面に沿って配される。操作部基板１０８は折り曲げ自在なフレキシブル基板であり、端部に設けられたエッジコネクタ１１２が主基板１０６上のレセプタクル１１０のひとつに接続される。なお、他のレセプタクル１５６、１６２にも、この図には現れない他のフレキシブル基板１５４、１６０のエッジコネクタ１５８、１６４が接続される。また、レセプタクル１３２、１５１、１５５にも後述する発光部基板１３０およびフレキシブル基板１５３、１５７の端部が接続される。更に、レセプタクル１５９には、コネクタ１０３が接続される。なお、フレキシブル基板１５３、１５５は、後述する表示部につながる。また、コネクタ１０３は、撮像素子につながる。
【００１４】
操作部基板１０８の上面には、マイクロスイッチ１０９とマイクロスイッチに対する操作を検出してデジタルカメラ１００の動作に反映させる操作部回路１０７とが実装される。マイクロスイッチ１０９は、筐体１０２の上面外側に配されたシャッタレリーズボタン、電源ボタン等を介して、筐体１０２の外側からユーザに押される。
【００１５】
発光ユニット１１３は、筐体１０２の上面および前面に沿って、右側空間１１８上端に配される。発光ユニット１１３は、放電管１１４を内蔵すると共に、前面に発光窓１１１を有する。放電管１１４が発光した場合、発光窓１１１を通じて、筐体１０２の前方に照明光が照射されて被写体を照明する。
【００１６】
一方のキャパシタ１２０は、筐体１０２の右側面および前面に沿って、右側空間１１８内に配される。他方のキャパシタ１２２は、発光ユニット１１３の後方において、筐体１０２の上面および背面に沿って右側空間１１８内に配される。
【００１７】
このように、デジタルカメラ１００では、左右方向の幅が広い主基板１０６と、細長い円柱状のキャパシタ１２０の径とに合わせてレンズ鏡筒１０４を片寄せることにより、筐体１０２の内部空間を無駄なく利用している。これにより、筐体１０２が小型化される。
【００１８】
図２は、筐体１０２を底面側から見た場合の、デジタルカメラ１００の内部レイアウトを示す図である。筐体１０２の底面近傍には、レンズ鏡筒１０４、主基板１０６、表示部１３６、電池室１４４、記憶媒体スロット１４６、操作ボタン１５２、変倍駆動部１７０およびキャパシタ１２０が配置される。
【００１９】
レンズ鏡筒１０４は、後端に撮像素子、シャッタ等を含み、これらを制御および駆動する信号および電力を伝えるフレキシブル基板１６０を有する。フレキシブル基板１６０は、レンズ鏡筒１０４の側面に沿って筐体１０２の前面側に引き回される。フレキシブル基板１６０の先端にはエッジコネクタ１６４が設けられ、フレキシブル基板１６０を主基板１０６上のレセプタクル１６２に接続する。
【００２０】
筐体１０２の左側空間１１６には、主基板１０６、記憶媒体スロット１４６および電池室１４４が収容される。主基板１０６は、筐体１０２の前面に沿って配される。電池室１４４は、筐体１０２の背面１２６面に沿って配される。記憶媒体スロット１４６は、主基板１０６および電池室１４４の間に配される。電池室１４４および記憶媒体スロット１４６は、収容する電池１４８または記憶媒体１５０の外形と相補的な形状の空洞を有する。
【００２１】
右側空間１１８には、キャパシタ１２０が筐体１０２の前面に沿って、変倍駆動部１７０が筐体１０２の背面１２６に沿って、互いに前後に配置される。キャパシタ１２２は、キャパシタ保持部２０８に保持される。変倍駆動部１７０は電動モータ等を含み、レンズ鏡筒１０４の伸縮を駆動する。
【００２２】
表示部１３６および操作ボタン１５２は、筐体１０２の背面１２６に配される。表示部１３６の表面は、透明な保護カバー１３８に覆われる。操作ボタン１５２は、筐体１０２の背面１２６から僅かに突出して、背面１２６からユーザに操作される。
【００２３】
表示部１３６および操作ボタン１５２からケーブルとして取り出されたフレキシブル基板１５４は、筐体１０２の底面と背面１２６および左側面１４０とに沿って、電池室１４４、記憶媒体スロット１４６等の外側を回り、主基板１０６に至る。フレキシブル基板１５４の先端にもエッジコネクタ１５８が設けられ、主基板１０６のレセプタクル１５６に接続される。
【００２４】
なお、表示部１３６は背面１２６の多くの部分を占める広さを有する。このため、レンズ鏡筒１０４と表示部１３６は、前後に重ねて配置することを余儀なくされる。換言すれば、短縮したレンズ鏡筒１０４の長さと表示部１３６の厚さとの合計が、デジタルカメラ１００の前後方向の限界的な寸法となる。従って、レンズ鏡筒１０４および表示部１３６以外の要素をこの範囲内に配置して、デジタルカメラ１００の厚さ寸法を最小にできる。
【００２５】
なお、上記の形態では、キャパシタ１２０を前面側に、変倍駆動部１７０を背面側に配した。しかしながら、この配置を反対にして、キャパシタ１２０を背面１２６側に、変倍駆動部１７０を前面側に配置してもよい。
【００２６】
図３は、筐体１０２を上面側から見た場合の、デジタルカメラ１００の内部レイアウトを示す図である。筐体１０２の上面近傍には、操作部基板１０８、発光ユニット１１３、トリガコイル１３３およびキャパシタ１２２が配置される。
【００２７】
操作部基板１０８は、操作部回路１０７および複数のマイクロスイッチ１０９を実装され、筐体１０２内の左側空間１１６の上端を覆って配される。操作部基板１０８には、レセプタクル１３２も実装される。レセプタクル１３２には、後述する発光部基板１３０の一端が接続される。
【００２８】
発光ユニット１１３は、右側面１６６に隣接して、筐体１０２の前面１２４および上面に沿って配される。発光ユニット１１３の後面はユニット当接部１７８に接する。また、発光ユニット１１３は、筐体の右側空間１１８の上端にも位置している。発光ユニット１１３前面の発光窓１１１は、筐体１０２の前面を貫通してデジタルカメラ１００の前面に露出する。これにより、放電管１１４が発光した場合に、筐体１０２の前方に照明光が放射される。
【００２９】
トリガコイル１３３は、筐体１０２の前面１２４に沿って、操作部基板１０８および発光ユニット１１３の間に配され、ユニット当接部１７８につながるリブ２０３に挟まれる。また、トリガコイル１３３は、筐体１０２の左側空間１１６および右側空間１１８の間であって、レンズ鏡筒１０４（図３には現れない）の上方に配されている。
【００３０】
キャパシタ１２２は、キャパシタ保持部２０４に位置決めされ、発光ユニット１１３およびトリガコイル１３３の後方に、筐体１０２の背面１２６に沿って配される。即ち、キャパシタ１２２の長さに対して短い発光ユニット１１３の側方にトリガコイル１３３を配することにより、筐体１０２の上面近傍の空間を無駄なく利用している。キャパシタ１２２は、右側面１６６側の一端に一対の端子１９２を有する。端子１９２は、発光部基板１３０の端子部１８０に結合される。
【００３１】
保持部材２０１およびキャパシタ保持部２０４の間には、発光部基板１３０が配される。発光部基板１３０も折り曲げ自在なフレキシブル基板であり、後述するように、放電管１１４、キャパシタ１２２、トリガコイル１３３等を相互に接続すると共に、これらの要素を操作部基板１０８に接続する。
【００３２】
図４は、筐体１０２を右側面１６６側から見た場合の、デジタルカメラ１００の内部レイアウトを示す図である。筐体１０２の右側面１６６近傍には、発光ユニット１１３、キャパシタ１２０、１２２および変倍駆動部１７０が配置される。また、筐体１０２の底面には三脚座１７２が配される。
【００３３】
発光ユニット１１３は、筐体１０２の右側空間１１８上端近傍において、筐体１０２の前面１２４に沿って配される。発光ユニット１１３は、前面を筐体１０２の前面１２４に嵌入させて、筐体１０２に対して位置決めされる。発光ユニット１１３の後面はユニット当接部１７８に接する。
【００３４】
一方のキャパシタ１２２は、筐体１０２の右側空間１１８の上端において、筐体１０２の背面１２６に沿って配される。キャパシタ１２２は、前側および下側からキャパシタ保持部２０６に保持されて位置決めされる。
【００３５】
なお、筐体１０２における上面および背面１２６の間の角は面取りされている。これにより、筐体１０２が薄く見える視覚的効果が得られる。
【００３６】
他方のキャパシタ１２０は、発光ユニット１１３の下方に、筐体１０２の前面１２４に沿って配される。キャパシタ１２０の上端面には端子１８２が配される。
【００３７】
キャパシタ保持部２０６およびユニット当接部１７８の間には、発光部基板１３０が挟まれる。発光部基板１３０の下側の一端には端子部１８４が設けられ、水平に折り曲げられてキャパシタ１２０上面の端子１８２に接続される。
【００３８】
変倍駆動部１７０は、筐体１０２の底面側に配されたモータ１７４と、モータ１７４の上に重ねられた減速部１７６とを含む。変倍駆動部１７０は、キャパシタ１２０および表示部１３６の間に挟まれる。変倍駆動部１７０は、減速部１７６を介してモータ１７４の回転駆動力をレンズ鏡筒１０４に伝達することにより、レンズ鏡筒１０４の伸縮を駆動する。
【００３９】
図５は、筐体１０２を左側面１４０側から見た場合の、デジタルカメラ１００の内部レイアウトを示す図である。筐体１０２の左側面１４０近傍には、主基板１０６、操作部基板１０８、電池室１４４および記憶媒体スロット１４６が配置される。
【００４０】
電池室１４４の上部には電池接片１８６が配され、操作部基板１０８を介して主基板１０６に接続される。これにより、電池室１４４に収容された電池１４８から供給された電力が主基板１０６にも供給される。なお、操作部基板１０８は、既に説明した通り、発光部基板１３０にも接続されている。従って、電池１４８の電力は、発光部基板１３０にも供給される。
【００４１】
電池室１４４および記憶媒体スロット１４６の下方には、筐体１０２の一部をなす開閉扉１４５が設けられる。開閉扉１４５が開かれた場合、電池室１４４、記憶媒体スロット１４６に対して筐体１０２の外部からアクセスできる。これにより、電池１４８、記憶媒体１５０を筐体１０２の底部から挿抜できる。
【００４２】
図６は、発光ユニット１１３、キャパシタ１２０、１２２、発光部基板１３０、キャパシタ保持部材２０４および保持部材２０１を含む発光部組立体２００の分解斜視図である。なお、この図において、フレキシブル基板である発光部基板１３０は、全く折り曲げることなく描かれている。
【００４３】
キャパシタ１２０、１２２は、互いに同じ寸法および形状を有する。また、キャパシタ１２０、１２２は、耐圧、静電容量等の電気的仕様も互いに等しい。ただし、筐体１０２の内部において、キャパシタ保持部２０６に保持されたキャパシタ１２２は水平に、キャパシタ保持部２０８に保持されたキャパシタ１２０は垂直に、それぞれ位置決めされる。一対のキャパシタ保持部２０６、２０８は互いに一体的に形成された単一のキャパシタ保持部材２０４をなす。
【００４４】
キャパシタ保持部材２０４の前面は、発光部基板１３０に接する平坦な垂直面２０７をなす。垂直面２０７には複数の位置決めボス２０９が配される。位置決めボス２０９は、発光部基板１３０の位置決め穴１３５に挿通され、発光部基板１３０を位置決めする。
【００４５】
発光部基板１３０は、駆動回路１３１を搭載する主部３００と、主部３００から互いに異なる方向に突出した枝部３０１、３０２、３０３、３０４とを含む。２つの枝部３０１、３０２は、キャパシタ１２０、１２２の端子１８２、１９２に接続される端子部１８０、１８４を先端近傍に有する。他の枝部３０３は、端部近傍にトリガコイル１３３を搭載する。また他の枝部３０４の先端には、操作部基板１０８のレセプタクル１３２に接続されるエッジコネクタ１３４を有する。
【００４６】
保持部材２０１は、ユニット当接部１７８、リブ２０３、位置決め穴２１１およびラッチ穴２１２を含む。リブ２０３は、トリガコイル１３３の外形と相補的な形状の空間を包囲する。ユニット当接部１７８は、発光ユニット１１３の外形に概ね倣った形状の空間を包囲する。ただし、この空間は、発光ユニット１１３の外形よりも大きいので、ユニット当接部１７８に前方から当接した発光ユニット１１３を拘束することはない。
【００４７】
位置決め穴２１１は、発光部基板２１１に挿通された位置決めボス２０９の先端と相補的な形状を有する。係合穴２１２は、保持部材２０１の上端に、後方に突出して設けられる。後述するように、ラッチ穴２１２は、キャパシタ保持部材２０４上端に形成されたフック２１４に係合する。
【００４８】
なお、トリガコイル１３３は、駆動回路１３１から駆動信号を受けた場合に、放電管１１４に放電を開始させる高電圧を発生する。発光ユニット１１３からは、トリガコイル１３３が発生した高電圧を放電管１１４に印加する高圧ケーブル１１５を有する。
【００４９】
図７は、組み立てられた発光部組立体２００を示す斜視図である。キャパシタ１２０、１２２は、キャパシタ保持部材２０４のキャパシタ保持部２０６、２０８にそれぞれ保持される。キャパシタ保持部材２０４および保持部材２０１は、発光部基板１３０を挟みつつ、係合穴２１２およびフック２１４を係合させて一体化される。
【００５０】
発光部基板１３０の主部３００は、キャパシタ保持部材２０４および保持部材２０１に挟まれて図には現れない。しかしながら、ひとつの枝部３０２は水平な折り目で曲げられて、端子部１８４をキャパシタ１２０の端子１８２に接続される。
【００５１】
他の枝部３０３は、水平な折り目で２回曲げられて、トリガコイル１３３を保持部材２０１の前面側に位置させる。このとき、トリガコイル１３３は、保持部材２０１のリブ２０３に包囲された空間に収容される。また、発光部基板１３０の位置決め穴１３５、保持部材２０１の位置決め穴２１１に順次挿通されたキャパシタ保持部材２０４の位置決めボス２０９先端が、トリガコイル１３３の近傍に形成された位置決め穴２１３に挿通される。
【００５２】
また他の枝部３０４は、鉛直な折り目と３つの水平な折り目で都合４回折り曲げられる。これにより、枝部３０４先端のエッジコネクタ１３４が、操作部基板１０８のレセプタクル１３２に接続し得る位置に到達する。
【００５３】
図８は、発光部組立体２００における電気的な接続を示す図である。より具体的には、図７に示した発光部組立体２００から、キャパシタ保持部材２０４および保持部材２０１を取り除いた様子を示す斜視図である。図７と共通の要素には同じ参照番号を付して重複する説明を省く。
【００５４】
図示のように、図７では現れていない枝部３０１は、水平な折り目と鉛直な折り目で曲げられて、端子部１８０をキャパシタ１２２の端子１９２に接続される。これにより、キャパシタ１２２も、発光部基板１３０に結合される。
【００５５】
なお、枝部３０１を主部３００から右方に突出させて、端子１９２に接続する場合の折り曲げ回数を減らしてもよい。しかしながら、図示のように２回折り曲げる形状とすることにより、キャパシタ１２０に接続される枝部３０２と長さが揃うように枝部３０１の長さを調整することもできる。
【００５６】
図９は、図８に示すＳ−Ｓ断面において、駆動回路１３１およびトリガコイル１３３の位置関係を模式的に示す図である。駆動回路１３１およびトリガコイル１３３は、図６に示したように、共通の発光部基板１３０上に離間して実装される。しかしながら、図９に示すように、発光部基板１３０を折り曲げることにより、駆動回路１３１およびトリガコイル１３３の間の空間距離Ｄは再び短くなる。
【００５７】
一方、発光部基板１３０を折り曲げられて接近した駆動回路１３１およびトリガコイル１３３の間には、保持部材２０１が入り込んでいる。また、保持部材２０１から前方に突出したリブ２０３は、トリガコイル１３３の周囲を覆っている。
【００５８】
このような構造により、この発光部組立体２００においては、駆動回路１３１内に位置する任意の点と、トリガコイル１３３に含まれる任意の点とを直線で結んだ場合、当該直線は、絶縁性材料により形成された保持部材２０１と必ず交差する。従って、駆動回路１３１およびトリガコイル１３３の間の縁面距離は、これらの空間距離Ｓよりも常に長い。これにより、高電圧を発生するトリガコイル１３３から駆動回路１３１に対する漏電耐圧が向上される。
【００５９】
また、漏電耐圧を確保しつつ空間距離Ｓを短縮したことにより、筐体１０２の内部における駆動回路１３１およびトリガコイル１３３の実装密度を向上させることができる。これにより、デジタルカメラ１００の小型化にも寄与する。
【００６０】
図１０は、デジタルカメラ１００における、レンズ鏡筒１０４と発光部組立体２００との位置関係を示す斜視図である。なお、他の図と共通の要素には同じ参照番号を付して重複する説明を省く。
【００６１】
操作部基板１０８と、発光部組立体２００のキャパシタ１２０を除く部分とは、レンズ鏡筒１０４に対して上方に位置する。ただし、操作部基板１０８は、筐体１０２の左側空間１１６に連なる空間に配される。また、発光ユニット１１３も、筐体１０２の右側空間１１８に連なる空間に配される。これに対して、トリガコイル１３３は、レンズ鏡筒１０４の上方に孤立した空間に配される。
【００６２】
これにより、高電圧を発生するトリガコイル１３３は、筐体１０２内部の他の部材から離間して配されるので、漏電の可能性が低下する。換言すれば、レンズ鏡筒１０４直上に残った僅かな空間にトリガコイル１３３を配したので、筐体１０２の内部空間を効率よく利用できる。
【００６３】
また、トリガコイル１３３をレンズ鏡筒１０４の上方に配置したので、トリガコイル１３３に隣接する発光ユニット１１３を、筐体１０２の前面１２４においてレンズ鏡筒１０４の光軸から最も遠い位置に配することができる。これにより、レンズ鏡筒１０４自体により照明光の一部が遮断される「蹴られ」が抑制される。
【００６４】
以上、デジタルカメラ１００に搭載された照明部組立体２００を例に挙げて説明した。しかしながら、上記の構造は、撮像装置に内蔵された照明装置に限られるものではなく、撮像装置に装着して使用する独立した照明装置にも利用できる。
【００６５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を、後の処理で用いる場合でない限り、任意の順序で実現しうることに留意されたい。特許請求の範囲、明細書、および図面中の動作フローに関して、便宜上「まず、」、「次に、」等を用いて説明したとしても、この順で実施することが必須であることを意味するものではない。
【符号の説明】
【００６７】
１００  デジタルカメラ、１０２  筐体、１０４  レンズ鏡筒、１０６  主基板、１０７  操作部回路、１０８  操作部基板、１１３  発光ユニット、１２０、１２２  キャパシタ、１３０  発光部基板、１３３  トリガコイル、１７８  ユニット当接部、２０１  保持部材、２０３  リブ、２０４  キャパシタ保持部材、２０６、２０８  キャパシタ保持部
【図１】
2011013380.tif 000003
【図２】
2011013380.tif 000004
【図３】
2011013380.tif 000005
【図４】
2011013380.tif 000006
【図５】
2011013380.tif 000007
【図６】
2011013380.tif 000008
【図７】
2011013380.tif 000009
【図８】
2011013380.tif 000010
【図９】
2011013380.tif 000011
【図１０】
2011013380.tif 000012